(57)【要約】【課題】横胴縁の数量を減らすことが可能な外壁構造およびこれが備える水切り材を提供する。【解決手段】外壁構造は、胴縁（横胴縁１１）と、水切り材４と、第１の壁材（下側壁材２１）と、第２の壁材（上側壁材２２）とを備える。第１の壁材の端部は、胴縁に固定される。水切り材４は、第１の壁材の端部に沿って配置され、胴縁に固定される。第２の壁材は、水切り材４に対し第１の壁材とは反対側に配置される。水切り材４は、第１の壁材の反対側に延びる支持部４４を有する。第２の壁材の第１の壁材側の端部が、支持部４４に固定される。【選択図】図１
2018003549.tif 000002
【特許請求の範囲】
【請求項１】
胴縁と、
前記胴縁に端部が固定された第１の壁材と、
前記第１の壁材の前記端部に沿って配置され、前記胴縁に固定された水切り材と、
前記水切り材に対し前記第１の壁材とは反対側に配置された第２の壁材と
を備え、
前記水切り材は、前記第１の壁材の反対側に延びる支持部を有し、
前記第２の壁材の前記第１の壁材側の端部が、前記支持部に固定されている
ことを特徴とする外壁構造。
【請求項２】
前記水切り材は、前記胴縁の前面に当たる当接部を有している
ことを特徴とする請求項１に記載の外壁構造。
【請求項３】
前記胴縁が横胴縁である
ことを特徴とする請求項１または請求項２に記載の外壁構造。
【請求項４】
前記水切り材は、前記横胴縁に載った状態で固定される固定片を有している
ことを特徴とする請求項３記載の外壁構造。
【請求項５】
前記水切り材は前記第１の壁材の前記端部に沿って形成された水切部を有し、
前記水切部は、
屋外側に向かって下り傾斜する導水部と、
前記導水部の下端部から屋内側に延出し、先端が前記第１の壁材の前面に近接する下覆部と
を具備している
ことを特徴とする請求項３または請求項４に記載の外壁構造。
【請求項６】
前記胴縁が縦胴縁であり、
前記支持部は、前記第２の壁材の上下方向の全長にわたって形成された捨板部を兼ねている
ことを特徴とする請求項１または請求項２に記載の外壁構造。
【請求項７】
胴縁に端部が固定された第１の壁材と、前記第１の壁材の前記端部に隣接した第２の壁材との間に配置された状態で前記胴縁に固定される水切り材であって、
前記胴縁に固定される水切本体と、
前記水切本体から前記第１の壁材の反対側に向かって延出し、前記第２の壁材の端部が固定される支持部と
を備えている
ことを特徴とする水切り材。
【発明の詳細な説明】
【技術分野】
【０００１】
本発明は、外壁構造およびこれが備える水切り材に関する。
【背景技術】
【０００２】
特許文献１には、従来の水切り材を有する外壁構造が開示されている。この特許文献１記載の外壁構造は、水平な鉄骨下地と、この鉄骨下地の屋外側に配置される下部外壁材および上部外壁材と、下部外壁材と上部外壁材との間に配置された水切部材とを備えている。
【０００３】
水切部材は、鉄骨下地に固定されており、下部外壁材の上端部に沿って形成されている。この水切部材が固定された鉄骨下地の上方には、別の鉄骨下地が設けられており、この別の鉄骨下地に上部外壁材が固定されている。
【先行技術文献】
【特許文献】
【０００４】
【特許文献１】特開２００６−３４８６８２号公報
【発明の概要】
【発明が解決しようとする課題】
【０００５】
上述のように、従来の外壁構造では、上部外壁材を固定するために、水切部材が固定される鉄骨部材に加えて、別の鉄骨部材が設けられている。このため、従来の外壁構造では、鉄骨部材の部材点数が多くなる上に、別の鉄骨部材を設置するための施工に手間が掛かるという問題があった。
【０００６】
本発明は、上記事情に鑑みてなされたものであり、その目的とするところは、胴縁の数量を減らすことができ、胴縁の施工の手間を削減可能な外壁構造およびこれが備える水切り材を提供することにある。
【課題を解決するための手段】
【０００７】
本発明の外壁構造は、胴縁と、前記胴縁に端部が固定された第１の壁材と、前記第１の壁材の前記端部に沿って配置され、前記胴縁に固定された水切り材と、前記水切り材に対し前記第１の壁材とは反対側に配置された第２の壁材とを備え、前記水切り材は、前記第１の壁材の反対側に延びる支持部を有し、前記第２の壁材の前記第１の壁材側の端部が、前記支持部に固定されていることを特徴とする。
【０００８】
また、この外壁構造において、前記水切り材は、前記胴縁の前面に当たる当接部を有していることが好ましい。
【０００９】
また、この外壁構造において、前記胴縁が横胴縁であることが好ましい。
【００１０】
また、この外壁構造において、前記水切り材は、前記横胴縁に載った状態で固定される固定片を有していることが好ましい。
【００１１】
また、この外壁構造において、前記水切り材は前記第１の壁材の前記端部に沿って形成された水切部を有し、前記水切部は、屋外側に向かって下り傾斜する導水部と、前記導水部の下端部から屋内側に延出し、先端が前記第１の壁材の前面に近接する下覆部とを具備していることが好ましい。
【００１２】
また、この外壁構造において、前記胴縁が縦胴縁であり、前記支持部は、前記第２の壁材の上下方向の全長にわたって形成された捨板部を兼ねていることが好ましい。
【００１３】
また、本発明の水切り材は、胴縁に端部が固定された第１の壁材と、前記第１の壁材の前記端部に隣接した第２の壁材との間に配置された状態で前記胴縁に固定される水切り材であって、前記胴縁に固定される水切本体と、前記水切本体から前記第１の壁材の反対側に向かって延出し、前記第２の壁材の端部が固定される支持部とを備えていることを特徴とする。
【発明の効果】
【００１４】
本発明の外壁構造およびこれが備える水切り材によれば、胴縁の数量を減らすことができ、胴縁の施工の手間を削減することができる。
【図面の簡単な説明】
【００１５】
【図１】本発明の実施形態１の外壁構造の分解斜視図である。
【図２】同上の壁材の水平断面図である。
【図３】同上の外壁構造の縦断面図である
【図４】同上の水切り材の斜視図である。
【図５】図５Ａは、同上の水切り材の正面図である。図５Ｂは、同上の水切り材の縦断面図である。
【図６】本実施形態の外壁構造の正面図である。
【図７】本発明の実施形態２の外壁構造の分解斜視図である。
【図８】同上の外壁構造の水平断面図である。
【発明を実施するための形態】
【００１６】
以下、本発明の実施形態について添付図面に基づいて説明する。
【００１７】
（実施形態１）
本実施形態の外壁構造は、例えば、倉庫や工場，住宅家屋等の建物の外壁に適用される。本実施形態の外壁構造は、図１に示すように、壁下地１と、外壁材と、水切り材４とを備えている。
【００１８】
壁下地１は、外壁材の下地となる部分である。壁下地１は、複数の柱（図示せず）と、複数の胴縁（横胴縁１１）とを備えている。複数の柱は、水平方向に間隔をおいて配置されており、各柱の長手方向が鉛直方向に平行となるように形成される。ここで、柱としては、例えば、間柱，管柱，又は通し柱等の柱が例示される。柱は、例えば、角形鋼管等の鉄骨材料や、木材により構成される。
【００１９】
複数の横胴縁１１は、複数の柱に架け渡して取り付けられる。複数の横胴縁１１は、上下方向に間隔をおいて配置されており、各横胴縁１１の長手方向が水平面に沿っている。横胴縁１１は、例えば、角形鋼管やリップ溝形鋼により構成されており、屋外側の面（前面１１１）、上面１１２、屋内側の面（後面１１３）を有している。
【００２０】
外壁材は、上下方向に並設された第１の壁材と第２の壁材とを有している（下側の壁材を第１の壁材、上側の壁材を第２の壁材とする）。本実施形態の第１の壁材および第２の壁材は、上下方向に並んでおり、複数の壁材はすべて同じ構造である。このため、第１の壁材を下側壁材２１として説明し、第２の壁材を上側壁材２２として説明する。以下においては、これら上側壁材２２と下側壁材２１との関係を主に説明する。
【００２１】
下側壁材２１は、横胴縁１１の屋外側に配置されている。下側壁材２１は、複数の壁板３を左右方向に連結することで構成されている。各壁板３は、上下方向に長さを有し、左右方向に幅を有している。壁板３は、図２に示すように、本体部３０の左右方向のいずれか一方に連結部３１が設けられ、他方に、連結部３１に連結可能な被連結部３４が設けられている。壁板３は、連結部３１と被連結部３４と本体部３０とが一体に成形されており、例えば、金属板を曲げ加工することで形成されている。
【００２２】
連結部３１は、断面山形状の突条部３２と、突条部３２の内部に設けられた嵌込部３３とを有している。突条部３２は、正面視において上下方向に延びて形成されている。突条部３２は、嵌込部３３を覆うように構成されており、壁板３の長さ方向の全長にわたって形成されている。嵌込部３３は、突条部３２の外側の端部から、突条部３２の内部に向かって延出している。
【００２３】
被連結部３４は、嵌込部３３に嵌合可能な突起部３５を有している。突起部３５は、壁板３の長さ方向の全長にわたって形成されている。突起部３５は、壁板３の端部側に向かうほど屋外側に位置するように傾斜している。
【００２４】
このような構成の壁板３は、嵌込部３３と突起部３５とが嵌合することで連結される。これにより、図１に示すように、左右方向に長さを有すると共に上下方向に幅を有する下側壁材２１が構成される。下側壁材２１の前面には、複数の突条部３２が左右方向に一定の間隔をおいて形成される。
【００２５】
下側壁材２１の上端部は、図３に示すように、横胴縁１１の前面１１１に対向しており、固着具を介して横胴縁１１に固定される。
【００２６】
上側壁材２２は、下側壁材２１と同じ構造であり、横胴縁１１の屋外側に配置されている。上側壁材２２は、下側壁材２１の上方において、下側壁材２１と同一面上に配置される。上側壁材２２は、下側壁材２１と同様に、複数の壁板３を左右方向に連結することで構成されている。なお、この壁板３は、下側壁材２１を構成する上述の壁板３と同じであるため、説明を省略する。
【００２７】
このような構成の上側壁材２２と下側壁材２１との間には、水切り材４が設けられている。水切り材４は、重力や風圧に従って移動する雨水が、壁材の裏側に回り込むのを防ぐ部材であり、本実施形態においては、主に、上側壁材２２を伝って流下した雨水が下側壁材２１の裏側に回り込むのを防ぐ。水切り材４は、下側壁材２１の上端部に沿うように、横胴縁１１に固定されている。水切り材４は、外壁材の左右方向の全長にわたって形成されている。なお、水切り材４は、短尺の複数の水切り材を直線状に並べてもよいし、連続した１つの長尺な水切り材を用いてもよい。水切り材４は、図４に示すように、水切本体４１と、支持部４４とを備えている。
【００２８】
水切本体４１は、水切り材４の主体を構成する。水切本体４１は、図５Ｂに示すように、横胴縁１１の上面１１２に載った状態で固定される固定片４２と、水切部４３とを備えている。固定片４２は、前後方向に幅を有すると共に、左右方向に長さを有している。固定片４２の長さは、水切り材４の長さ方向の全長にわたっている。固定片４２は、横胴縁１１の上面１１２に沿うように略水平面状に形成されている。
【００２９】
水切部４３は、下側壁材２１の上端部の長さ方向の全長にわたって形成されており、下側壁材２１の上端部に沿って形成されている。水切部４３は、屋外側に向かって下り傾斜する導水部４３１と、導水部４３１の屋外側の端部から屋内側に延出する下覆部４３２とを備えている。導水部４３１と下覆部４３２とは連続して形成されており、断面山形状（断面三角形状）に形成されている。
【００３０】
下覆部４３２は、屋内側に向かうほど下方に位置するように傾斜している。下覆部４３２の屋内側の端部は、下側壁材２１の前面に近接する。これにより、下覆部４３２は、導水部４３１と下側壁材２１との間の隙間を覆うように構成されている。また、下覆部４３２には、図５Ａに示すように、断面略三角形状の複数の切欠部４３３が形成されている。切欠部４３３は、下側壁材２１の突条部３２に適合するように、略三角形状に形成されている。本実施形態において、複数の切欠部４３３間の寸法は、例えば１９０ｍｍである。
【００３１】
支持部４４は、水切本体４１から上方に延出しており（つまり、下側壁材２１の反対側に向かって延出しており）、横胴縁１１に取り付けられた状態で、横胴縁１１の上面１１２よりも上方に突出する。支持部４４は、鉛直面に沿って形成されており、水切り材４の長さ方向の全長にわたって形成されている。支持部４４は、図３に示すように、上側壁材２２の下端部の屋内側に重なるように配置され、上側壁材２２の下端部が固着具を介して固定される。本実施形態の支持部４４は、金属板を折り重ねて形成されており、折り重ねられた金属板の下側に位置する２つの端部のうち、一方の端部に固定片４２が連続し、他方の端部に導水部４３１が連続している。
【００３２】
また、本実施形態の水切り材４は、横胴縁１１の前面１１１に当たる当接部４５を有する。当接部４５は、支持部４４の下端部で構成されている。当接部４５が横胴縁１１の前面１１１に当接することで、例えば、支持部４４に対し、前方からの力が掛かった場合に、横胴縁１１で支持することができる。この結果、上側壁材２２に掛かる正圧を効果的に支持することができる。さらに、上側壁材２２に負圧が掛かった場合、その力は、固着具を介して支持部４４により支持される。
【００３３】
このような構成の水切り材４は、下側壁材２１の上端部が横胴縁１１に固定された後、下側壁材２１の上端部に沿うようにして、横胴縁１１に取り付けられる。水切り材４は、外壁材の左右方向の長さに合わせて切断される。水切り材４は、固定片４２が横胴縁１１の上面１１２に載置され、この状態で固着具が打ち込まれ、固定される。このとき、横胴縁１１の前面１１１と水切部４３との間には、止水材５が配置されることが好ましい。止水材５としては、例えば、ケミカル面戸が用いられる。
【００３４】
この後、横胴縁１１に固定された水切り材４の支持部４４に、上側壁材２２の下端部が固着具を介して固定される。ここで、上側壁材２２の突条部３２の下端面は、屋内側に向かうほど上方に位置するように傾斜している。この突条部３２の下端面の角度は、水切り材４の導水部４３１の角度と同じ角度に形成されている。したがって、壁下地１に外壁材が取り付けられると、上側壁材２２の突条部３２の下端部は、水切部４３の水切部４３に沿って位置し、この水切部４３によって覆われる。この突条部３２は、下端部が開口しているが、当該水切部４３により当該開口が覆われるため、浸水が抑制できる。
【００３５】
このように構成された本実施形態の外壁構造は、図６に示すように、複数の突条部３２と、複数の水切り材４の水切部４３とで、外壁面に格子柄が形成される。これにより、外壁面の意匠性を向上させることができる。
【００３６】
（効果）
以上、説明したように、本実施形態の外壁構造は、胴縁（横胴縁１１）と、水切り材４と、第１の壁材（下側壁材２１）と、第２の壁材（上側壁材２２）とを備える。第１の壁材の端部は、胴縁に固定される。水切り材４は、第１の壁材の端部に沿って配置され、胴縁に固定される。第２の壁材は、水切り材４に対し第１の壁材とは反対側に配置される。水切り材４は、第１の壁材の反対側に延びる支持部４４を有する。第２の壁材の第１の壁材側の端部が、支持部４４に固定される。この構成によれば、水切り材４の支持部４４によって第２の壁材の端部を固定することができるため、第２の壁材の端部を固定するための胴縁が不要である。この結果、胴縁を従来の構造よりも減らすことができ、部品点数の削減と、胴縁の施工工数の削減とを行うことができる。
【００３７】
また、本実施形態の外壁構造は、次の付加的な構成を有する。すなわち、本実施形態の外壁構造における水切り材４は、胴縁の前面１１１に当たる当接部４５を有している。この構成によれば、風等により、第２の壁材に屋外側から屋内側に向かう圧力（正圧）が掛かっても、その力を胴縁で効果的に受けることができる。
【００３８】
また、胴縁は横胴縁１１であることが好ましい。
【００３９】
また、本実施形態の外壁構造は、次の付加的な構成を有する。すなわち、本実施形態の外壁構造は、水切り材４は、横胴縁１１に載った状態で固定される固定片４２を有している。この構成によれば、水切り材４を取り付ける際、水切り材４を横胴縁１１に載置した状態で、固着具を打ち込むことができるため、施工性を向上させることができる。
【００４０】
また、本実施形態の外壁構造は、次の付加的な構成を有する。すなわち、本実施形態の外壁構造は、水切り材４は第１の壁材（下側壁材２１）の上端部に沿って形成された水切部４３を有する。水切部４３は、屋外側に向かって下り傾斜する導水部４３１と、導水部４３１の下端部から屋内側に延出し、先端が第１の壁材の前面１１１に近接する下覆部４３２とを具備している。この構成によれば、外壁面を吹き上げるような風雨が生じても、下覆部４３２によって、第１の壁材２２と水切部４３との間を覆うことができ、浸水を抑制できる。
【００４１】
また、胴縁に端部が固定された第１の壁材（下側壁材２１）と、第１の壁材の端部に隣接した第２の壁材（上側壁材２２）との間に配置された状態で胴縁（横胴縁１１）に固定される水切り材４である。水切り材４は、胴縁に固定される水切本体４１と、水切本体４１から第１の壁材の反対側に向かって延出し、第２の壁材の端部が固定される支持部４４とを備える。この構成によれば、１つの胴縁に水切り材４を取り付けるだけで、支持部４４によって第２の壁材の端部を固定することができる。すなわち、本実施形態の水切り材４によれば、第２の壁材の端部を取り付けるための胴縁を省くことができる。その結果、胴縁の部品点数の削減と、胴縁の施工工数の削減とを行うことができる。
【００４２】
（実施形態２）
次に、実施形態２について図７，８に基づいて説明する。なお、本実施形態は、実施形態１と大部分において同じであるため、同じ部分においては同符号を付して説明を省略し、主に異なる部分について説明する。
【００４３】
実施形態１は、胴縁が横胴縁であったが、実施形態２の胴縁は縦胴縁である。これに伴い、本実施形態の水切り材４は、その長手方向が上下方向に平行となるように配置される。
【００４４】
本実施形態の外壁構造は、図７に示すように、胴縁としての縦胴縁１２と、第１の壁材としての左側壁材２３と、第２の壁材としての右側壁材２４とを備えている。
【００４５】
縦胴縁１２は、左右方向に一定の間隔をおいて複数並設されている。各縦胴縁１２は、上下方向に延びている。縦胴縁１２は、上端部が、例えば梁に固定され、下端部が、例えば土台に固定される。
【００４６】
左側壁材２３は、複数の壁板３が上下方向に連結されることで構成されている。各壁板３は、実施形態１のものと同じ構造であり、実施形態１のものとは９０°回転して設置したものである。このため詳しい説明を省略する。右側壁材２４も、左側壁材２３と同様、複数の壁板３が上下方向に連結されることで構成されており、左側壁材と同じ構造である。
【００４７】
このような構成の左側壁材２３は、一方の端部である右側端部が縦胴縁１２に固着具を介して固定されており、他方の端部である左側端部が、水切り材４の支持部４４に固定されている（つまり、図７に示すように、右側壁材２４の左側端部は、水切り材４の支持部４４に固定されている）。
【００４８】
なお、水切り材４は、実施形態１のものと同じ構造であり、実施形態１のものとは９０°回転して設置されている。このため詳しい説明を省略する。
【００４９】
支持部４４は、上下方向に延びており、外壁材の上下方向の略全長にわたって形成されている。水切り材４の支持部４４には、右側壁材２４の左側端部が固着具を介して固定される。水切り材４の水切部４３は、左側壁材２３の右側端部に沿って形成されており、この左側壁材２３の右側端部を覆っている。また、支持部４４は、外壁材の上下方向の略全長にわたって形成されており、雨水を受けて下方に流下させる捨板部を兼ねている。捨板部は、右側壁材２４の左側端部から回り込んだ雨水を受け、下方に流すように構成されており、捨板部を流下する水は、例えば、スタータに向かって排水される。
【００５０】
水切り材４の固定片４２は、図８に示すように、縦胴縁１２の側面１１４（本実施形態では右側側面）に当接した状態で固着具を介して固定されている。これにより、水切り材４は縦胴縁１２に固定されている。
【００５１】
また、水切り材４は、実施形態１と同様の当接部４５を有している。当接部４５は、支持部４４の基端部で構成されている。当接部４５は、縦胴縁１２の前面に当たるように構成されている。当接部４５が縦胴縁１２の前面１１１に当接することで、例えば、支持部４４に対し、前方からの力が掛かった場合に、縦胴縁１２で支持することができる。この結果、右側壁材２４に掛かる正圧を効果的に支持することができる。
【００５２】
本実施形態の外壁構造によれば、水切り材４の支持部４４によって右側壁材２４（第２の壁材）の一方の端部を固定することができるため、右側壁材２４の一方の端部を固定するための縦胴縁１２が不要である。この結果、縦胴縁１２を従来の構造よりも減らすことができ、部品点数の削減と、縦胴縁１２の施工工数の削減とを行うことができる。
【００５３】
また、本実施形態の外壁構造において、胴縁が縦胴縁１２であり、支持部４４は、右側壁材２４（第２の壁材）の上下方向の全長にわたって形成された捨板部を兼ねている。この構成によれば、右側壁材２４の端部の裏側に回り込んだ雨水を支持部によって受けることができ、下方に排水できるため、防水性を高めることができる。
【００５４】
（応用）
実施形態１の水切部４３は、下覆部４３２を有しており、断面略三角形状に形成されていたが、例えば、下覆部４３２に相当する部分が鉛直下方に延びてもよい。
【００５５】
実施形態１の上側壁材２２と下側壁材２１、および実施形態２の右側壁材２４と左側壁材２３は、連結部３１に突条部３２を有する壁材により構成されたが、例えば、壁材の長さ方向の全面にわたって凹凸が形成された波型の壁材により構成されてもよい。
【００５６】
実施形態１，２の壁材は、断面三角形状の突条部３２を有していたが、この突条部３２は、例えば、断面半円状等であってもよく、形状は限定されない。
【００５７】
実施形態１，２の水切り材４は、金属板を曲げ加工することで構成されたが、例えば、押出成形等により構成されてもよく、材料や成型方法は限定されない。
【００５８】
実施形態１の横胴縁１１は、下側壁材２１の上端部の直ぐ後方に配置されていたが、例えば、横胴縁１１が下側壁材２１の上端部よりも下方に位置していてもよく、横胴縁１１と下側壁材２１との位置関係は実施形態１の構造に限定されない。また、実施形態２の縦胴縁１２についても同様に、縦胴縁１２と壁材との位置関係は実施形態２の構造に限定されない。
【００５９】
その他、本発明の主旨を逸脱しない範囲であれば、適宜設計変更を行うことができる。
【符号の説明】
【００６０】
１１      横胴縁（胴縁）
１１１    前面
１２      縦胴縁（胴縁）
２１      下側壁材（第１の壁材）
２２      上側壁材（第２の壁材）
２３      左側壁材（第１の壁材）
２４      右側壁材（第２の壁材）
４        水切り材
４１      水切本体
４２      固定片
４３      水切部
４３１    導水部
４３２    下覆部
４４      支持部
４５      当接部
【図１】
2018003549.tif 000003
【図２】
2018003549.tif 000004
【図３】
2018003549.tif 000005
【図４】
2018003549.tif 000006
【図５】
2018003549.tif 000007
【図６】
2018003549.tif 000008
【図７】
2018003549.tif 000009
【図８】
2018003549.tif 000010